(57)【要約】      （修正有）【課題】プレゼンアプリで使用される機能を簡便に実行させることが可能な印刷媒体及び情報処理システムを提供する。【解決手段】印刷媒体の表面には、プレゼンアプリで使用される複数の機能のそれぞれに対応付けられたユニークなコード化パターンが形成されていると共に、複数の機能のそれぞれの内容を示す複数の絵柄が形成されており、裏面に粘着層が形成されている。印刷媒体は、複数の機能に対応する複数の絵柄及びコード化パターンを１つのセットとし、区切れ目であることを示す目印を挟んでセットが繰り返し形成されている。情報処理システムは、電子ペンと、電子ペンの記入情報を受信し処理するコンピュータ装置と、コンピュータ装置によってデータの読み出しが行われる記憶手段とを備える。【選択図】図１
0003167906.tif 000002
【実用新案登録請求の範囲】
【請求項１】
表面に、プレゼンテーション用のアプリケーションで使用される複数の機能のそれぞれに対応付けられたユニークなコード化パターンが形成されていると共に、前記複数の機能のそれぞれの内容を示す複数の絵柄が形成されており、裏面に粘着層が形成された媒体であって、
前記複数の機能に対応する前記絵柄及び前記コード化パターンを１つのセットとし、前記セットが繰り返し形成され、
隣接する前記セットの間に、区切れ目であることを示す目印が形成されていることを特徴とする媒体。
【請求項２】
表面に、プレゼンテーション用のアプリケーションで使用される複数の機能のそれぞれに対応付けられたユニークなコード化パターンが形成されていると共に、前記複数の機能のそれぞれの内容を示す複数の絵柄が形成されており、裏面に粘着層が形成された媒体であって、
前記複数の機能に対応する前記絵柄及び前記コード化パターンを１つのセットとし、前記セットが繰り返し形成され、
前記複数の機能のそれぞれに割り当てられたマークが、当該複数の機能のそれぞれに対応する前記絵柄の近傍に形成されていることを特徴とする媒体。
【請求項３】
前記アプリケーションで使用される内容が印刷された資料に貼り付けられて使用されることを特徴とする請求項１または２に記載の媒体。
【請求項４】
前記媒体はテープであることを特徴とする請求項１または２に記載の媒体。
【請求項５】
前記媒体はシールであることを特徴とする請求項１または２に記載の媒体。
【請求項６】
請求項１乃至５のいずれか一項に記載の媒体と、
前記媒体に形成された前記コード化パターンを読取り、当該コード化パターンに関する記入情報を生成する電子ペンと、
前記アプリケーションを実行すると共に、前記電子ペンから前記記入情報を受信して、当該記入情報に応じた処理を行うコンピュータ装置と、前記コンピュータ装置によってデータの読み出しが行われる記憶手段と、を備える情報処理システムであって、
前記記憶手段は、前記複数の機能と、当該複数の機能のそれぞれに割り当てられた前記コード化パターンとの対応付けデータを記憶しており、
前記コンピュータ装置は、
前記記入情報に基づいて、前記対応付けデータを参照して、前記アプリケーションで使用される前記複数の機能の中から、前記電子ペンによって読み取られたコード化パターンに対応する機能を特定する機能特定手段と、
前記機能特定手段が特定した前記機能を実行する機能実行手段と、を備えることを特徴とする情報処理システム。
【請求項７】
前記コンピュータ装置との間で通信を行うサーバ装置を更に備え、
前記サーバ装置は、前記記憶手段を備えており、
前記コンピュータ装置の前記機能特定手段は、前記サーバ装置が記憶する前記対応付けデータを参照して、前記複数の機能の中から、前記電子ペンによって記入された機能を特定することを特徴とする請求項６に記載の情報処理システム。
【請求項８】
前記コンピュータ装置との間で通信を行うサーバ装置を更に備え、
前記サーバ装置は、前記複数の機能と、当該複数の機能のそれぞれに割り当てられた前記コード化パターンとの対応付けデータを記憶する第２の記憶手段を備えており、
前記コンピュータ装置は、
前記複数の機能と、当該複数の機能のそれぞれに割り当てられた前記コード化パターンとの対応付けデータを記憶する第１の記憶手段を更に備え、
前記機能特定手段は、前記第１の記憶手段が記憶する前記対応付けデータを参照して前記機能を特定することができなかった場合に、前記サーバ装置の前記第２の記憶手段が記憶する前記対応付けデータを取得し、取得した前記対応付けデータに基づいて前記機能を特定することを特徴とする請求項６に記載の情報処理システム。
【考案の詳細な説明】
【技術分野】
【０００１】
本考案は、ドットパターンが形成された媒体と、この媒体を利用した情報処理システムに関する。
【背景技術】
【０００２】
近年、記入した情報を電子化する電子ペンが開発されており、その代表的なものとしてスウェーデンのAnoto社が開発した「アノトペン（Anoto pen）」が知られている。アノトペンは、所定のドットパターンが印刷された専用紙とともに使用される。アノトペンは、ペン先部に、文字等を書くための通常のインクカートリッジに加えて、専用紙に印刷されたドットパターンを撮像するための小型カメラと、撮像したドットパターンから専用紙における位置座標を演算するプロセッサと、演算された位置座標等を外部機器へ送信するデータ通信ユニットとを搭載している。ユーザが専用紙上にアノトペンで文字等を書いたり、専用紙上に図案化されている画像にチェックマークを記入したりすると、ペンの移動に伴って小型カメラが専用紙に印刷されたドットパターンを撮像し、プロセッサによって演算された連続する位置座標から、ユーザが書き込んだ文字、画像などの記入情報が認識される。そして、この記入情報が、データ通信ユニットによりアノトペンから近くのパーソナルコンピュータや携帯電話などの端末装置に送信される（例えば、特許文献１参照）。
【０００３】
また、特許文献２には、印字テープにＱＲコードと文字を印刷する印字装置が記載されている。更に、特許文献３及び４には、シールにドットパターンを印刷することが記載されている。
【先行技術文献】
【特許文献】
【０００４】
【特許文献１】特許第３８７２４９８号公報
【特許文献２】特開２００７−２４５６６３号公報
【特許文献３】特開２００７−７３０５７号公報
【特許文献４】特開２００６−１９０２７０号公報
【考案の概要】
【考案が解決しようとする課題】
【０００５】
従来の技術では、プレゼンテーション用のアプリケーション（以下、適宜「プレゼンアプリ」と表記する。）を実行する場面において、電子ペンを用いて、プレゼンアプリで使用される機能を簡便に実行させることが困難であった。そこで、本考案は、電子ペンを用いて、プレゼンアプリで使用される機能を簡便に実行させることが可能な媒体及び情報処理システムを提案することを主な目的とする。
【課題を解決するための手段】
【０００６】
本考案の１つの観点では、表面に、プレゼンテーション用のアプリケーションで使用される複数の機能のそれぞれに対応付けられたユニークなコード化パターンが形成されていると共に、前記複数の機能のそれぞれの内容を示す複数の絵柄が形成されており、裏面に粘着層が形成された媒体は、前記複数の機能に対応する前記絵柄及び前記コード化パターンを１つのセットとし、前記セットが繰り返し形成され、隣接する前記セットの間に、区切れ目であることを示す目印が形成されている。
【０００７】
つまり、上記の媒体の表面には、プレゼンアプリで使用される各機能ごとに異なるコード化パターン（例えばドットパターン）が形成されている。また、「絵柄」は、プレゼンアプリで使用される機能に対応するアイコンなどに相当する。詳しくは、上記の媒体は、複数の機能に対応する複数の絵柄及びコード化パターンを１つのセットとし、区切れ目であることを示す目印を挟んでセットが繰り返し形成されている。つまり、媒体には、同じ絵柄及び同じコード化パターンを有する複数のセットが、目印を境にして繰り返し形成されている。
【０００８】
ユーザは、上記のような媒体と、媒体に形成されたコード化パターンを読み取って記入情報を生成する電子ペンと、プレゼンアプリを実行すると共に、電子ペンから受信する記入情報に応じた処理を行うコンピュータ装置とを用いて、プレゼンテーションを実施することができる。具体的には、ユーザは、媒体を資料やノートに貼り付け、当該資料等に貼り付けられた媒体のうち使用したい機能に対応する絵柄を電子ペンでタップ（記入の一形態。ペン先による軽叩）することで、プレゼンアプリの所定の機能を実行させる。これにより、ユーザは、使用したいプレゼンアプリの機能が形成された媒体の部分を切り取って資料等に貼り付ける作業を行うだけで、プレゼンテーションの実行中に、電子ペンを用いてプレゼンアプリの機能を簡便に実行させることが可能となる。さらに、ユーザは、媒体に繰り返し形成された機能のセットにおける区切れ目を容易に判別して、まとまった機能の単位１セットで媒体を使用することができる。
【０００９】
本考案の他の観点では、表面に、プレゼンテーション用のアプリケーションで使用される複数の機能のそれぞれに対応付けられたユニークなコード化パターンが形成されていると共に、前記複数の機能のそれぞれの内容を示す複数の絵柄が形成されており、裏面に粘着層が形成された媒体は、前記複数の機能に対応する前記絵柄及び前記コード化パターンを１つのセットとし、前記セットが繰り返し形成され、前記複数の機能のそれぞれに割り当てられたマークが、当該複数の機能のそれぞれに対応する前記絵柄の近傍に形成されている。
【００１０】
つまり、上記の媒体の表面には、プレゼンアプリで使用される各機能ごとに異なるコード化パターン（例えばドットパターン）と、プレゼンアプリで使用される複数の機能に対応するアイコンなどに相当する複数の「絵柄」とを１つのセットとし、セットが繰り返し形成されている。さらに、媒体上の同じ機能の絵柄近傍に同じ種類のマークが形成されている。ユーザは、上記のような媒体と、媒体に形成されたコード化パターンを読み取って記入情報を生成する電子ペンと、プレゼンアプリを実行すると共に、電子ペンから受信する記入情報に応じた処理を行うコンピュータ装置とを用いることによっても、プレゼンアプリを実施することができる。具体的には、ユーザは、使用したいプレゼンアプリの機能が形成された媒体の部分を切り取ってを資料やノートに貼り付け、当該資料等に貼り付けられた媒体のうち使用したい機能に対応する絵柄を電子ペンでタップすることで、プレゼンアプリの所定の機能を簡便に実行させることが可能となる。さらに、ユーザは、媒体をどの部分から切り取っても、同じ種類のマークを目安にしてまとまった機能の単位を容易に判別して、まとまった機能の単位１セットで媒体を使用することができる。
【００１１】
上記の媒体は、好適には、前記アプリケーションで使用される内容が印刷された資料に貼り付けられて使用される。
【００１２】
上記の媒体の一態様では、前記媒体はテープである。これによりユーザは、テープをテープホルダー（テープカッター）等にセットして、使用したい部分のテープを簡単に切り取ることができる。また、上記の媒体の他の一態様では、前記媒体はシールである。これによりユーザは、使用したい部分のシールを、切り取って直ぐに資料等に貼り付けなくても持ち歩くことができる。
【００１３】
本考案の他の観点では、上記媒体と、前記媒体に形成された前記コード化パターンを読取り、当該コード化パターンに関する記入情報を生成する電子ペンと、前記アプリケーションを実行すると共に、前記電子ペンから前記記入情報を受信して、当該記入情報に応じた処理を行うコンピュータ装置と、前記コンピュータ装置によってデータの読み出しが行われる記憶手段と、を備える情報処理システムにおいて、前記記憶手段は、前記複数の機能と、当該複数の機能のそれぞれに割り当てられた前記コード化パターンとの対応付けデータを記憶しており、前記コンピュータ装置は、前記記入情報に基づいて、前記記憶媒体が記憶する前記対応付けデータを参照して、前記アプリケーションで使用される前記複数の機能の中から、前記電子ペンによって読み取られたコード化パターンに対応する機能を特定する機能特定手段と、前記機能特定手段が特定した前記機能を実行する機能実行手段と、を備える。
【００１４】
上記の情報処理システムによれば、ユーザは、使用したいプレゼンアプリの機能が形成された媒体の部分を切り取って資料に貼り付ける作業を行うだけで、プレゼンテーションの実行中に、電子ペンを用いてプレゼンアプリの機能を簡便に実行させることが可能となる。
【００１５】
上記の情報処理システムの一態様では、前記コンピュータ装置との間で通信を行うサーバ装置を更に備え、前記サーバ装置は、前記記憶手段を備えており、前記コンピュータ装置の前記機能特定手段は、前記サーバ装置が記憶する前記対応付けデータを参照して、前記複数の機能の中から、前記電子ペンによって記入された機能を特定する。
【００１６】
上記の情報処理システムの他の一態様では、前記コンピュータ装置との間で通信を行うサーバ装置を更に備え、前記サーバ装置は、前記複数の機能と、当該複数の機能のそれぞれに割り当てられた前記コード化パターンとの対応付けデータを記憶する第２の記憶手段を備えており、前記コンピュータ装置は、前記複数の機能と、当該複数の機能のそれぞれに割り当てられた前記コード化パターンとの対応付けデータを記憶する第１の記憶手段を更に備え、前記機能特定手段は、前記第１の記憶手段が記憶する前記対応付けデータを参照して前記機能を特定することができなかった場合に、前記サーバ装置の前記第２の記憶手段が記憶する前記対応付けデータを取得し、取得した前記対応付けデータに基づいて前記機能を特定する。これにより、コンピュータ装置の第１の記憶手段に記憶された対応付けデータを参照してプレゼンアプリの機能を特定できなかった場合にも、該当する対応付けデータをサーバ装置から取得して、当該機能を適切に実行させることができる。
【考案の効果】
【００１７】
本考案によれば、ユーザは、使用したいプレゼンアプリの機能が形成された媒体の部分を資料に貼り付ける作業を行うだけで、プレゼンテーションの実行中に、電子ペンを用いてプレゼンアプリの機能を簡便に実行させることが可能となる。
【図面の簡単な説明】
【００１８】
【図１】第１実施形態に係る情報処理システムのシステム構成図である。
【図２】第１実施形態に係るテープの構成を示す図である。
【図３】ドットパターンにおけるドットの配置と変換される値との関係を示す説明図である。
【図４】（ａ）は、ドットパターンを模式的に示し、（ｂ）は、それに対応する情報の例を示す図である。
【図５】電子ペンの構造を示す概略図である。
【図６】コンピュータ装置の機能ブロック図である。
【図７】座標定義情報のデータ構造を模式的に示す図である。
【図８】第１実施形態に係る情報処理システムによる処理フローを示すフローチャートである。
【図９】第１実施形態の変形例に係る情報処理システムのシステム構成図である。
【図１０】第２実施形態に係る情報処理システムのシステム構成図である。
【図１１】第２実施形態に係る情報処理システムによる処理フローを示すフローチャートである。
【図１２】第２実施形態に係るドット情報登録処理を示すフローチャートである。
【図１３】変形例１に係るテープの構成を示す図である。
【図１４】変形例２に係るテープの構成を示す図である。
【図１５】変形例３に係るシールの構成を示す図である。
【図１６】変形例４に係るシールの構成を示す図である。
【考案を実施するための形態】
【００１９】
以下、図面を参照しながら、本考案の実施の形態について説明する。
【００２０】
＜第１実施形態＞
まず、本考案に係る第１実施形態について説明する。
【００２１】
［情報処理システムの構成］
図１は、第１実施形態に係る情報処理システムの構成を示す。図１に示すように、第１実施形態に係る情報処理システムは、ユーザが使用する電子ペン１と、電子ペン１から記入情報等を受信して処理するコンピュータ装置２と、コンピュータ装置２からの印刷指示（出力命令）に従って資料６を印刷するプリンタ３と、コンピュータ装置２のディスプレイに表示する画像と同様の画像をスクリーン５に映し出すプロジェクタ４と、テープ７（媒体）と、を有する。
【００２２】
コンピュータ装置２は、プレゼンテーション用のアプリケーション（プレゼンアプリ）のプログラムがインストールされており、プレゼンアプリを実行する。この場合、コンピュータ装置２は、プレゼンアプリの内容を示す画像をディスプレイに表示させると共に、当該画像と同様の画像をプロジェクタ４を介してスクリーン５に映し出す。また、コンピュータ装置２は、プレゼンアプリの内容を印刷するための印刷指示をプリンタ３に出力することで、当該プレゼンアプリの内容が印刷された資料６を作成する。
【００２３】
テープ７は、表面に、プレゼンアプリで使用される複数の機能のそれぞれの内容を示す複数の絵柄が形成されていると共に、当該複数の機能のそれぞれに対応付けられたユニークなドットパターンが形成されている。言い換えると、各機能ごとに異なるドットパターンが形成されている。また、テープ７は、プレゼンアプリで使用される複数の機能に対応する絵柄及びドットパターンを１つのセットとし、当該セットが繰り返し形成されている。更に、テープ７は、裏面に粘着層が形成されている。例えば、テープ７は、セロハンの片面にドットパターンと絵柄とが印刷された上に剥離剤が塗られ、反対面に接着剤を介して粘着剤が塗られたセロハンテープである。なお、本実施形態では、ドットパターンは、アノト方式のものによるが、他のコード化パターンを用いても良い。
【００２４】
テープ７は、テープホルダー（テープカッター）７８などにセットされ、テープホルダー７８が有するカッターなどで必要な部分が切り取られる。具体的には、ユーザが使用したい機能に対応する絵柄が形成された部分が１つまたは複数の絵柄（機能）で切り取られたり、１セットのまとまった絵柄の単位で切り取られたりする。そして、切り取られたテープ７は、資料６の任意のページ（全部のページであっても良いし、一部のページであっても良いし、ページにより異なる絵柄であっても良い）に貼り付けられる。
【００２５】
図１に示すような情報処理システムは、例えば以下のように利用される。ユーザは、電子ペン１を用いると共に、テープ７が貼り付けられた資料６を用いて、プレゼンテーションを行う。具体的には、ユーザは、実行するプレゼンテーションに応じた資料６を参照しながら、当該資料６に貼り付けられたテープ７を電子ペン１でタップすることで、プレゼンアプリの所定の機能を実行させる。この場合、ユーザは、実行したいプレゼンアプリの機能に対応する絵柄が形成されたテープ７の該当箇所を、電子ペン１でタップする。そして、上記のようにユーザが電子ペン１でタップした場合に、コンピュータ装置２は、電子ペン１から受信する記入情報に基づいて、ユーザが電子ペン１でタップしたプレゼンアプリの機能を特定し、特定した機能を実行する。
【００２６】
［テープの構成］
次に、図２を参照して、第１実施形態に係るテープ７の構成について具体的に説明する。図２は、テープ７を引き延ばした状態の図を示している。図２に示すように、テープ７には、プレゼンアプリで使用される複数の機能のそれぞれの内容を示す複数の絵柄７ａ１〜７ａ５（７ａ）が形成されている。絵柄７ａは、プレゼンアプリで使用される機能に対応するアイコンなどに相当し、赤外域に吸収性を持たないインキによってテープ７に印刷されている。また、テープ７には、プレゼンアプリで使用される複数の機能のそれぞれに対応付けられた、ユニークなドットパターンが形成されている。つまり、テープ７においては、各機能ごとに異なるドットパターンが、各機能に対応する絵柄７ａ１〜７ａ５に重ねて形成されている。また、テープ７には、複数の絵柄７ａ１〜７ａ５及びそれらに対応するドットパターンを１つのセットとし、当該セットが繰り返し形成されている（符号７ｂ参照）。つまり、テープ７には、同じ絵柄７ａ１〜７ａ５及び同じドットパターンを有する複数のセットが、繰り返し形成されている。
【００２７】
なお、図２では、１つのセットにおいて５つの絵柄７ａ１〜７ａ５を示しているが、４以下又は６以上の絵柄をテープ７に形成することとしても良い。つまり、４以下又は６以上のプレゼンアプリの機能を用いることとしても良い。また、図２では、テープ７の表面の全体にドットパターンが形成されているが、テープ７における絵柄７ａ１〜７ａ５の部分にのみ、ドットパターンを形成することとしても良い。ここで述べた内容は、以下で説明する変形例１〜４にも同様に適用されるものとする。
【００２８】
なお、図２（ａ）では、テープ７の長さ方向に沿って絵柄７ａ１〜７ａ５及びドットパターンを１列に配置しているが、この代わりに、テープにある程度の幅を持たせた場合や絵柄を小さくした場合には、図２（ｂ）のテープ７０（７）のように長さ方向に沿って絵柄７ａ１〜７ａ５及びドットパターンを２列以上に配置しても良い。また、他の例では、テープにある程度の幅を持たせた等の場合には、テープ７の幅方向に沿って絵柄７ａ１〜７ａ５及びドットパターンを配置しても良い。この例では、複数の絵柄７ａ１〜７ａ５などから構成される１セットを、テープ７の幅方向に沿って一列に並ぶように配置し、このようなセットをテープ７の長さ方向に繰り返し形成することができる。
【００２９】
［ドットパターン］
続いて、テープ７に形成されたアノト方式のドットパターン（コード化パターン）について説明する。図３は、テープ７に印刷されたドットパターンのドットとそのドットが変換される値との関係を説明する図である。図３に示すように、ドットパターンの各ドットは、その位置によって所定の値に対応付けられている。すなわち、ドットの位置を格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組合せにより、テープ７上の位置座標が決定されるよう構成されている。
【００３０】
図４（ａ）は、あるドットパターンの配列を示している。図４（ａ）に示すように、縦横約２ｍｍの範囲内に６×６個のドットが、テープ７上のどの部分から６×６ドットを取ってもユニークなパターンとなるように配置されている。これら３６個のドットにより形成されるドットパターンは位置座標（例えば、そのドットパターンがテープ７上のどの位置にあるのか）を保持している。図４（ｂ）は、図４（ａ）に示す各ドットを、格子の基準位置からのシフト方向によって、図３に示す規則性に基づいて対応づけられた値に変換したものである。この変換は、ドットパターンの画像を撮影する電子ペン１によって行われる。
【００３１】
［電子ペン］
次に電子ペン１について説明する。図５に示すように、電子ペン１は、その筐体１０１の内部に、ペン部１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１及びバッテリー１１２を備える。ペン部１０４の先端は、ペン先部１０３となっており、ユーザは、電子ペン１のペン先部１０３をテープ７上に当接させて、文字等のストローク（手書きストローク）を記入したり、タップ（ペン先部１０３によるテープ７への軽叩）したりする。なお、本明細書では、電子ペン１による「記入」は、このような「ストローク」及び「タップ」の両方を含むものとする。ここで、電子ペン１のペン先部１０３がテープ７に最初に接触することをペンダウンと呼び、接触している（当接している）状態からペン先部１０３が離れることをペンアップと呼ぶ。電子ペン１のペンダウンからペンアップまでの間に記入される軌跡が１つのストロークとなり、文字や図形等は、１つ又は複数個のストロークからなる。
【００３２】
バッテリー１１２は電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ）を示す時刻情報を発信し、プロセッサ１０８に供給する。圧力センサ１０７は、ユーザが電子ペン１によりテープ７に文字やマークを書いたりタップしたりする際にペン先部１０３からペン部１０４を通じて与えられる圧力、即ち筆圧を検出し、その値をプロセッサ１０８へ伝送する。
【００３３】
プロセッサ１０８は、圧力センサ１０７から与えられる筆圧データに基づいて、ＬＥＤ１０５及びＣＭＯＳカメラ１０６のスイッチのオン／オフを切替える。即ち、ユーザが電子ペン１でテープ７に記入すると、ペン先部１０３に筆圧がかかり、圧力センサ１０７によって所定値以上の筆圧が検出されたときに、プロセッサ１０８は、ユーザが記入を開始したと判定して、ＬＥＤ１０５及びＣＭＯＳカメラ１０６を作動させる。そして、通信ユニット１１１が、圧力センサ１０７により検出されたペンダウン情報ＰＤと、後述するペンＩＤとを関連付けて、記入情報としてコンピュータ装置２へ送信する。また、ユーザが１つのストロークを記入し終えて電子ペン１をテープ７から離すと、圧力センサ１０７は、所定値以上の筆圧が検出されなくなることでペンアップを検出する。すると、通信ユニット１１１が、圧力センサ１０７により検出されたペンアップ情報とペンＩＤとを関連付けて、記入情報としてコンピュータ装置２へ送信する。
【００３４】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、テープ７上のペン先部１０３近傍に向けて赤外線を照明する。その領域は、ペン先部１０３がテープ７に接触する位置とはわずかにずれている。ＣＭＯＳカメラ１０６には、赤外線を透過し赤外線以外を遮断する赤外線フィルタが設けられており、ＣＭＯＳカメラ１０６は、ＬＥＤ１０５によって照明された領域内におけるドットパターンを撮影し、そのドットパターンの画像データをプロセッサ１０８に供給する。ここで、ドットのインク素材は、赤外線を反射するため、ＬＥＤ１０５によって照射された赤外線は、ドットによって反射される。そのため、ドットの部分は、赤外線の反射量が比較的多く、ドット以外の部分は赤外線の反射量が比較的少ない。ＣＭＯＳカメラ１０６の撮影により、赤外線の反射量の違いから閾値を設けることによって、ドットの領域とそれ以外の領域を区別することができる。なお、ＣＭＯＳカメラ１０６による撮影領域は、図４（ａ）に示すような約２ｍｍ×約２ｍｍの大きさを含む範囲であり、ＣＭＯＳカメラ１０６の撮影は毎秒５０〜１００回程度の定間隔で行われる。また、ＣＭＯＳカメラ１０６は、ドットを鮮明に撮影するため、十分な被写界深度を有している。
【００３５】
プロセッサ１０８は、ユーザの記入が行われる間、ＣＭＯＳカメラ１０６によって供給される画像データのドットパターンから、ユーザが記入するストローク（筆跡）のテープ７上におけるＸ，Ｙ座標（単に「位置座標」、「座標情報」とも呼ぶ）を連続的に演算していく。すなわち、プロセッサ１０８は、ＣＭＯＳカメラ１０６によって供給される、図４（ａ）に示されるようなドットパターンの画像データを図４（ｂ）に示すデータ配列に変換し、さらに、Ｘ座標ビット値・Ｙ座標ビット値に変換して、そのデータ配列から所定の演算方法によりＸ，Ｙ座標データを演算する。なお、プロセッサ１０８は、ドットパターンに対向する電子ペン１の角度に起因するドットの画像上における配列を補正する回転補正処理機能を備えている。そして、プロセッサ１０８は、リアルタイムクロック１１０から発信される現在時刻（タイムスタンプ：記入された時刻情報）、筆圧データ及びＸ，Ｙ座標データを関連付ける。以後、これらの関連付けたデータを、まとめて「座標属性情報」と呼ぶ。なお、１セットの絵柄７ａにおける６×６のドットパターンは、１セットの絵柄７ａ内で重複することはないため、ユーザが電子ペン１で文字等を記入すると、記入された位置が１セットの絵柄７ａのどの位置に当たるかを、プロセッサ１０８による座標演算により特定することができる。
【００３６】
メモリ１０９には、電子ペン１を識別するための「ｐｅｎ０１」といったペンＩＤ、ペン製造者番号、ペンソフトウェアのバージョン等のプロパティ情報が記憶されている。そして、通信ユニット１１１は、ペンＩＤと、時刻情報（タイムスタンプ）と、筆圧データと、Ｘ、Ｙ座標データとを関連付けて、記入情報としてコンピュータ装置２へ送信する。通信ユニット１１１によるコンピュータ装置２への送信は、Ｂｌｕｅｔｏｏｔｈ（登録商標）などの無線送信によって、即時的かつ逐次的に行われる。ここで、電子ペン１のペンダウンからペンアップまでの間に生成されてコンピュータ装置２に送信された１個又は複数個の座標属性情報は、コンピュータ装置２によりストローク情報として記憶される。換言すると、１つのストロークは、１個又は複数個のＸ，Ｙ座標（座標点）からなり、コンピュータ装置２は、ペンダウン情報及びペンアップ情報によって、１つのストロークを構成する１個又は複数個の座標属性情報を認識する。このように、ユーザの一つのストロークの記入により、電子ペン１によって生成される座標属性情報の集合を「ストローク情報」と呼ぶ。また、ペン先部１０３は、インクを有さず、筆圧をペン部１０４を介して圧力センサ１０７に伝達する。
【００３７】
［コンピュータ装置］
次に、コンピュータ装置２について説明する。コンピュータ装置２は、ハードウェアとして、電子ペン１とのデータ通信が可能なアンテナ装置、ＣＰＵ等のプロセッサ、ＲＯＭやＲＡＭといったメモリ、ディスプレイ、マウスやキーボード等で構成されるパーソナルコンピュータ等で構成される。図６は、コンピュータ装置２の機能ブロック図である。コンピュータ装置２は、機能的には、マウスやキーボードといった入力手段２１、受信手段２２、処理手段２４、記憶手段２５、表示手段２６、画像出力手段２７及び印刷出力手段２８を備える。そして、コンピュータ装置２は、予めプレゼンアプリがインストールされており、電子ペン１から受信した記入情報に基づいて所定の処理を行う。
【００３８】
受信手段２２は、アンテナ受信回路等により構成され、電子ペン１から記入情報を受信し、処理手段２４に伝送する。画像出力手段２７は、処理手段２４の指示による画像信号をプロジェクタ４に送信する。印刷出力手段２８は、処理手段２４の指示による資料６の印刷指示（出力命令）をプリンタ３に送信する。なお、プリンタ３及び／又はプロジェクタ４へのデータ送信方式は、有線式であっても無線式であってもよい。表示手段２６は、ディスプレイ等によって構成され、処理手段２４によって指示された内容を表示する。
【００３９】
記憶手段２５は、ハードディスクやＲＯＭ、ＲＡＭといったメモリによって構成される。記憶手段２５は、処理手段２４の処理命令により、電子ペン１から受信した記入情報をペンＩＤ毎に記憶し、さらに、処理手段２４の指示により、記憶領域を確保して、ペンダウンからペンアップまでの記入情報に含まれる座標属性情報をストローク情報としてペンＩＤ毎に記憶する。また、記憶手段２５は、予め、プレゼンアプリのプログラムと、プレゼンアプリで利用する各種情報を記憶している。
【００４０】
各種情報の一例として、記憶手段２５は、図７に示すように、プレゼンアプリで使用される複数の機能と、当該複数の機能のそれぞれに割り当てられたドットパターンとを対応付けた座標定義情報を記憶している。図７において、「Ｆ０１」、「Ｆ０２」、「Ｆ０３」は、プレゼンアプリで使用される機能を識別するための機能番号である。機能番号Ｆ０１は「前のページに移動」といった機能に対応し、機能番号Ｆ０２は「次のページに移動」といった機能に対応し、機能番号Ｆ０３は「ペンツールに切替」といった機能に対応する。記憶手段２５は、このようなプレゼンアプリの機能に対応付けて、各機能に割り当てられたドットパターンの座標範囲を記憶している。各座標範囲は、矩形の角の位置座標（Ｘｎ，Ｙｎ）、高さ（Ｈ）、幅（Ｗ）で規定される。電子ペン１によってテープ７に記入が行われた場合、後述する処理手段２４は、記憶手段２５に記憶された座標定義情報を参照することで、電子ペン１により記入が行われた機能を特定することが可能となる。なお、図７に示した機能は一例であり、これら以外の機能を用いて良いことは言うまでも無い。
【００４１】
図６に戻ると、処理手段２４は、ＣＰＵ等のプロセッサによって構成され、受信手段２２が受信した記入情報に基づいてストロークを表示手段２６に表示させたり、表示手段２６に表示させる画像と同様の画像をプロジェクタ４に投影させるための画像信号を、画像出力手段２７を介してプロジェクタ４に送信させたりするなどの所定の処理を実行する。具体的には、処理手段２４は、プレゼンアプリを起動して、プレゼンアプリに対応する画像を表示手段２６に表示させる。また、処理手段２４は、電子ペン１から受信した記入情報の中にペンダウン情報ＰＤが含まれることを識別すると、最新のストローク情報をペンＩＤ毎に記憶するための記憶領域を記憶手段２５に設定させる。そして、処理手段２４は、受信した記入情報の中にペンアップ情報ＰＵが含まれることを検出するまで、或いは、受信した記入情報の中に次のペンダウン情報ＰＤが含まれることを検出するまで、受信した記入情報の中に含まれる座標属性情報を最新のストローク情報の一部として記憶手段２５に記憶させる。更に、処理手段２４は、受信手段２２が電子ペン１から受信した記入情報に基づいて、プレゼンアプリで使用される複数の機能の中から、電子ペン１によって記入されたプレゼンアプリの機能を特定する。具体的には、処理手段２４は、記入情報に含まれる座標情報に基づいて、記憶手段２５に記憶された座標定義情報を参照することで、電子ペン１によって記入されたプレゼンアプリの機能を特定する。そして、処理手段２４は、特定したプレゼンアプリの機能を実行する。なお、処理手段２４は、プレゼンアプリの機能を特定できなかった場合には、機能を実行する処理を行わない。このように、処理手段２４は、本考案における「機能特定手段」及び「機能実行手段」の一例に相当する。
【００４２】
［プリンタ］
プリンタ３は、コンピュータ装置２の処理手段２４による印刷指示（出力命令）を印刷出力手段２８から取得し、当該印刷指示に従って資料６を印刷する。
【００４３】
［処理フロー］
次に、図８を参照して、第１実施形態に係る情報処理システムによる処理フローについて説明する。図８に示す処理フローは、電子ペン１により記入情報が生成されるごとに繰り返し実行される。また、当該処理フローは、例えばプレゼンアプリの実行時に行われる。
【００４４】
まず、ユーザが、電子ペン１でテープ７に記入（タップ及びストロークの両方を含む）すると、電子ペン１は、生成した記入情報をコンピュータ装置２へ送信する（ステップＳ１０１）。具体的には、電子ペン１は、ペンダウン時には、ペンダウン情報ＰＤ及びペンＩＤを関連付けた記入情報を生成して、生成した記入情報をコンピュータ装置２へ送信し、ストロークの記入中は、ストロークに沿ってドットパターンを撮像して演算した座標情報を含む座標属性情報とペンＩＤとを関連付けた記入情報を生成してコンピュータ装置２へ送信し、ペンアップ時には、ペンアップ情報ＰＵ及びペンＩＤを関連付けた記入情報を生成してコンピュータ装置２へ送信する。
【００４５】
コンピュータ装置２では、受信手段２２が、電子ペン１から送信された記入情報を受信すると、処理手段２４は、その記入情報を記憶手段２５に記憶させる（ステップＳ２０１）。次に、処理手段２４は、ステップＳ２０１で取得した記入情報に含まれる座標情報に基づいて、電子ペン１によって記入されたプレゼンアプリの機能を特定できたか否かを判定する（ステップＳ２０２）。この場合、処理手段２４は、ステップＳ２０１で取得した記入情報に含まれる座標情報が、図７に示したような記憶手段２５に記憶された座標定義情報が有する座標範囲のいずれかに含まれるか否かを判定する。つまり、ステップＳ２０２では、処理手段２４は、ユーザが電子ペン１でテープ７に記入した機能に対応する座標定義情報が、既に記憶手段２５に登録されているか否かの判定を行っている。
【００４６】
プレゼンアプリの機能を特定できた場合（ステップＳ２０２；Ｙｅｓ）、処理手段２４は、ステップＳ２０２で特定したプレゼンアプリの機能を実行する（ステップＳ２０３）。これに対して、プレゼンアプリの機能を特定できなかった場合（ステップＳ２０２；Ｎｏ）、ユーザが電子ペン１でテープ７に記入した機能に対応する座標定義情報が記憶手段２５に登録されていないため、処理手段２４は、機能を実行する処理を行わずに処理を終了する。
【００４７】
［第１実施形態による作用効果］
以上説明した第１実施形態によれば、ユーザは、使用したいプレゼンアプリの機能が形成されたテープ７の部分を切り取って資料６に貼り付ける作業を行うだけで、プレゼンテーションの実行中に、コンピュータ装置２の入力手段２１を操作することなく、電子ペン１を用いてプレゼンアプリの機能を簡便に実行させることが可能となる。また、テープ７には複数の機能に対応する絵柄及びドットパターンが繰り返し形成されているため、同一の機能を含むテープ７の部分を、異なる複数の資料６（同一のプレゼンテーションの資料６であっても良いし、異なるプレゼンテーションの資料６であっても良い）に貼り付けて、そのような機能を実行させることができる。
【００４８】
［第１実施形態の変形例］
図９は、第１実施形態の変形例に係る情報処理システムの構成を示す。なお、以下では、上記した第１実施形態で示した符号と同一の符号を付した構成要素などについては同様の意味を有するものとして、その詳細な説明を省略する。また、特に説明しない構成要素や処理などについては、第１実施形態と同様であるものとする。
【００４９】
第１実施形態の変形例に係る情報処理システムは、プレゼンアプリで使用される複数の機能と、当該複数の機能のそれぞれに割り当てられたドットパターンとを対応付けた座標定義情報（図７参照）が記憶されている記憶媒体９を有する点で、上記の第１実施形態で示した情報処理システムと異なる。例えば、記憶媒体９は、テープ７に付属してセットで販売され、ＣＤ（Compact Disk）やＤＶＤ(Digital Versatile Disc)やＵＳＢメモリなどのメディアに相当する。
【００５０】
変形例では、コンピュータ装置２は、記憶媒体９に記憶された座標定義情報を読み出して、読み出した座標定義情報を記憶手段２５に記憶させる。そして、コンピュータ装置２の処理手段２４は、上記の第１実施形態と同様にして、記憶手段２５に記憶された座標定義情報を参照することで、電子ペン１によって記入されたプレゼンアプリの機能を特定する。なお、コンピュータ装置２は、記憶媒体９から読み出した座標定義情報を記憶手段２５に予め記憶させる代わりに、記憶媒体９に記憶された座標定義情報を直接参照することで、プレゼンアプリの機能を特定することとしても良い。
【００５１】
＜第２実施形態＞
次に、本考案に係る第２実施形態について説明する。第２実施形態では、コンピュータ装置２が記憶手段２５に記憶された座標定義情報に基づいてプレゼンアプリの機能を特定できなかった場合に、サーバ装置から座標定義情報を取得する点で、第１実施形態と異なる。具体的には、第２実施形態では、サーバ装置は、図７に示したようなプレゼンアプリの機能とドットパターンとを対応付けた座標定義情報を記憶しており、コンピュータ装置２は、サーバ装置に記憶された座標定義情報をダウンロードして記憶手段２５に記憶させる。
【００５２】
［情報処理システムの構成］
図１０は、第２実施形態に係る情報処理システムの構成を示す。なお、以下では、上記した第１実施形態で示した符号と同一の符号を付した構成要素などについては同様の意味を有するものとして、その詳細な説明を省略する。また、特に説明しない構成要素や処理などについては、第１実施形態と同様であるものとする。
【００５３】
第２実施形態に係る情報処理システムは、コンピュータ装置２とインターネット１０を介して接続されたサーバ装置１１を有する点で、上記の第１実施形態で示した情報処理システムと異なる。サーバ装置１１は、プレゼンアプリで使用される複数の機能と、当該複数の機能のそれぞれに割り当てられたドットパターンとを対応付けた座標定義情報を予め記憶している。この場合、サーバ装置１１は、最新の座標定義情報を記憶している。例えば、新たなプレゼンアプリの機能が追加された場合に、そのような機能に対応する座標定義情報がサーバ装置１１に記憶される。
【００５４】
第２実施形態では、コンピュータ装置２の処理手段２４は、電子ペン１から受信した記入情報に含まれる座標情報および記憶手段２５に記憶された座標定義情報に基づいてプレゼンアプリの機能を特定できなかった場合に、サーバ装置１１から座標定義情報を取得する。この場合、処理手段２４は、コンピュータ装置２内の通信インターフェイス（不図示）によって、インターネット１０を介してサーバ装置１１と通信を行うことで、サーバ装置１１に記憶された座標定義情報をダウンロードする。このときコンピュータ装置２は、該当する座標情報に対応する座標定義情報のみダウンロードすることとしても良く、記憶手段２５の座標定義情報に未登録の座標定義情報を全てダウンロードすることとしても良い。そして、処理手段２４は、サーバ装置１１から取得した座標定義情報を記憶手段２５に新たに記憶させる。この後、処理手段２４は、上記の第１実施形態と同様にして、電子ペン１から受信した記入情報に含まれる座標情報に基づいて、記憶手段２５に記憶された座標定義情報を参照することで、電子ペン１によって記入されたプレゼンアプリの機能を特定する。
【００５５】
［処理フロー］
次に、図１１を参照して、第２実施形態に係る情報処理システムによる処理フローについて説明する。図１１に示す処理フローは、電子ペン１により記入情報が生成されるごとに繰り返し実行される。また、当該処理フローは、例えばプレゼンアプリの実行時に行われる。なお、以下では、図８に示した処理フローと同様の処理については、その説明を適宜省略するものとする。
【００５６】
ステップＳ１０１、Ｓ３０１、Ｓ３０２、Ｓ３０４の処理は、それぞれ、図８に示したステップＳ１０１、Ｓ２０１、Ｓ２０２、Ｓ２０３の処理と同様であるため、その説明を省略する。ステップＳ３０３の処理は、コンピュータ装置２の処理手段２４が、プレゼンアプリの機能を特定できなかった場合（ステップＳ３０２；Ｎｏ）に実行される。ステップＳ３０３では、処理手段２４は、サーバ装置１１から座標定義情報（以下、単に「ドット情報」とも呼ぶ。）を取得し、取得したドット情報を記憶手段２５に記憶された座標定義情報に追加して登録させる処理（ドット情報登録処理）を行う。
【００５７】
図１２は、上記したステップＳ３０３で行われるドット情報登録処理を示すフローチャートである。ドット情報登録処理は、コンピュータ装置２の処理手段２４によって行われる。
【００５８】
まず、処理手段２４は、コンピュータ装置２の通信インターフェイスがインターネット１０に接続中であるか否かを判定する（ステップＳ４０１）。インターネット１０に接続中でない場合（ステップＳ４０１；Ｎｏ）、処理手段２４は、インターネット１０に接続されていない旨のエラーを報知させる（ステップＳ４０２）。例えば、処理手段２４は、インターネット１０に接続されていないことを示すメッセージを、画像として表示手段２６に表示させたり、音声としてスピーカから出力させたりする。
【００５９】
一方、インターネット１０に接続中である場合（ステップＳ４０１；Ｙｅｓ）、処理手段２４は、「情報取得中」といったメッセージを表示手段２６に表示させる（ステップＳ４０３）。なお、このようなメッセージを表示させる代わりに、又は当該メッセージを表示させるに加えて、当該メッセージを音声としてスピーカから出力させても良い。
【００６０】
次に、処理手段２４は、コンピュータ装置２内の通信インターフェイスによって、インターネット１０を介してサーバ装置１１と通信を行うことで、サーバ装置１１に記憶されたドット情報をダウンロードする（ステップＳ４０４）。そして、処理手段２４は、ダウンロードしたドット情報を記憶手段２５に記憶させる（ステップＳ４０５）。この後、処理手段２４は、こうして記憶手段２５に記憶された座標定義情報（ドット情報）を参照することで、電子ペン１によって記入されたプレゼンアプリの機能を特定し、特定した機能を実行する（図１１ステップＳ３０４）。
【００６１】
［第２実施形態による作用効果］
以上説明した第２実施形態によれば、記憶手段２５に記憶された座標定義情報に基づいてプレゼンアプリの機能を特定できなかった場合にも、そのような機能に対応するドット情報をサーバ装置１１から取得して、当該機能を適切に実行させることができる。例えば、プレゼンアプリの新たな機能が付与されたテープ７を用いた場合にも、新たな機能に対応するドット情報をサーバ装置１１から取得して、当該機能を適切に実行させることができる。
【００６２】
＜変形例＞
以下では、上記した実施形態の変形例１〜４について説明する。なお、変形例１〜４は、第１実施形態（第１実施形態の変形例も含む）及び第２実施形態の全てに適用可能である。
【００６３】
［変形例１］
図１３は、変形例１に係るテープ７１の構成を示す。図１３は、テープ７１を引き延ばした状態の図を示している。なお、第１実施形態で示したテープ７（図２参照）と同様の構成要素については、同一の符号を付し、その説明を省略するものとする。
【００６４】
図１３に示すように、変形例１に係るテープ７１は、プレゼンアプリで使用される複数の機能に対応する絵柄７ａ１〜７ａ５（７ａ）及びドットパターンからなる１つのセットにおける両端の位置に、言い換えると隣接するセットの間に、区切れ目であることを示す目印７１ａが形成されている。具体的には、目印７１ａは、破線で構成されており、赤外域に吸収性を持たないインキによってテープ７１の表面に印刷されている。なお、目印７１ａを破線で構成する代わりに、実線で構成しても良いし、その他の所定のマークで構成しても良い。
【００６５】
このような変形例１によれば、ユーザは、テープ７１に繰り返し形成された機能のセットにおける区切れ目を容易に判別して、セット単位でテープ７１を使用することができる。
【００６６】
なお、変形例１は、後述する変形例３及び４にも適用することができる。
【００６７】
［変形例２］
図１４は、変形例２に係るテープ７２の構成を示す。図１４は、テープ７２を引き延ばした状態の図を示している。なお、第１実施形態で示したテープ７（図２参照）と同様の構成要素については、同一の符号を付し、その説明を省略するものとする。
【００６８】
図１４に示すように、変形例２に係るテープ７２は、「Ｌ」〜「Ｐ」で示すようなマーク７２ａ１〜７２ａ５（７２ａ）が形成されている。具体的には、マーク７２ａ１〜７２ａ５は、プレゼンアプリで使用される複数の機能のそれぞれに割り当てられた、異なるアルファベット「Ｌ」〜「Ｐ」によって構成されている。マーク７２ａ１〜７２ａ５も、絵柄及びドットパターンと同様に、テープ７２に繰り返し形成されている。つまり、プレゼンアプリで使用される複数の機能に対応するマーク７２ａ１〜７２ａ５を１セットとし、当該セットがテープ７２に繰り返し形成されている。このようなマーク７２ａは、赤外域に吸収性を持たないインキによってテープ７２の表面に印刷されている。
【００６９】
詳しくは、マーク７２ａは、それぞれの機能に対応する絵柄７ａの近傍に形成されている。図１４では、マーク７２ａ１〜７２ａ５は、それぞれの機能に対応する絵柄７ａ１〜７ａ５の左下の位置に形成されている。なお、図１４で示すような位置にマーク７２ａを形成することに限定はされず、絵柄７ａとの対応関係がわかるような位置であれば、種々の位置に形成することができる。
【００７０】
なお、マーク７２ａをアルファベットで構成することに限定はされず、アルファベット以外の他の文字（例えば数字など）で構成しても良い。この場合にも、プレゼンアプリで使用される複数の機能のそれぞれに割り当てられた異なる文字によって、マーク７２ａを構成することができる。また、マーク７２ａを文字によって構成する代わりに、それぞれで異なる色で構成しても良い。この場合にも、プレゼンアプリで使用される複数の機能のそれぞれに割り当てられた異なる色によって、マーク７２ａを構成することができる。
【００７１】
このような変形例２によれば、同じ機能区間の近傍に同じ種類のマーク７２ａがテープ７２に形成されているため、ユーザは、テープ７２をどの部分から切り取り始めても、まとまった機能の単位を同じ種類のマーク７２を目印に容易に判別して、セット単位でテープ７２を使用することができる。
【００７２】
なお、変形例２は、後述する変形例３及び４にも適用することができる。
【００７３】
［変形例３］
上記した第１及び第２実施形態並びに変形例１、２は、本考案の媒体をテープに適用したものであった。これに対して、変形例３では、本考案をシールに適用する。
【００７４】
図１５は、変形例３に係るシール８（媒体）の構成を示す。シール８は、裏面に粘着剤が形成された紙（シール台紙）として構成されている。剥離紙から剥がしてそのまま貼るタイプのシールが好適であるが、水で濡らしてから貼るタイプのシールでも良い。図１５に示すように、シール８は、表面に、プレゼンアプリで使用される複数の機能のそれぞれの内容を示す複数の絵柄８ａ１〜８ａ５（８ａ）が形成されていると共に、当該複数の機能のそれぞれに対応付けられたユニークなドットパターンが形成されている。絵柄８ａは、赤外域に吸収性を持たないインキによってシール８に印刷されている。詳しくは、シール８には、複数の絵柄８ａ１〜８ａ５及びそれらに対応するドットパターンを１つのセットとし、当該セットが繰り返し形成されている（符号８ｂ参照）。つまり、シール８には、同じ絵柄８ａ及び同じドットパターンを有する複数のセットが、図１５における縦方向に繰り返し形成されている。そして、シール８には、使用する部分の絵柄８ａを剥離紙から剥がし易いようにハーフカットが施されている。絵柄８ａの形状に合わせてハーフカットされていても良い。また、水で濡らしてから貼るタイプのシールの場合は、ミシン目状のハーフカットとすると良い。
【００７５】
このようなシール８も、前述したテープ７、７０、７１、７２と同様にして利用される。具体的には、ユーザは、使用したい機能に対応するシール８の部分を剥がし、剥がしたシール８１を資料６の任意のページ（全部のページであっても良いし、一部のページであっても良い）に貼り付ける。そして、ユーザは、電子ペン１を用いると共に、シール８が貼り付けられた資料６を用いて、プレゼンテーションを行う。この場合、ユーザは、実行するプレゼンテーションに応じた資料６を参照しながら、当該資料６に貼り付けられたシール８を電子ペン１でタップすることで、プレゼンアプリの所定の機能を実行させる。つまり、ユーザは、実行したいプレゼンアプリの機能に対応する絵柄８ａが形成されたシール８の該当箇所を、電子ペン１でタップする。そして、このようにユーザが電子ペン１でタップした場合に、コンピュータ装置２は、電子ペン１から受信する記入情報に基づいて、ユーザが電子ペン１でタップしたプレゼンアプリの機能を特定し、特定した機能を実行する。
【００７６】
このような変形例３に係るシール８を利用することによっても、ユーザは、プレゼンテーションの実行中に、電子ペン１を用いてプレゼンアプリの機能を簡便に実行させることが可能となる。
【００７７】
［変形例４］
変形例４も、変形例３と同様に、本考案をシールに適用したものである。変形例３では、複数の機能に対応する絵柄８ａ１〜８ａ５及びドットパターンを１枚のシール台紙に形成していたが、変形例４では、１枚のシール台紙に１つの機能に対応する絵柄及びドットパターのみを形成し、このようなシール台紙を複数の機能に対応する枚数だけ用いる。つまり、変形例４では、各機能に対応する絵柄８ａ及びドットパターンを別々のシール台紙に形成する。なお、変形例３で示したシール８（図１３参照）と同様の構成要素については、同一の符号を付し、その説明を適宜省略するものとする。
【００７８】
図１６は、変形例４に係るシール８０（８）の構成を示す。シール８０は、裏面に粘着剤が形成された紙（シール台紙）として構成されている。図１６に示すように、シール８０は、複数のシール８１〜８４でセットとされている。シール８１〜８４は、それぞれ、プレゼンアプリで使用される複数の機能のそれぞれの内容を示す絵柄８ａ１、８ａ２、８ａ３、８ａ４（８ａ）が形成されていると共に、当該複数の機能のそれぞれに対応付けられたユニークなドットパターンが形成されている。また、絵柄８ａは、赤外域に吸収性を持たないインキによってシール８１〜８４に印刷されている。このようなシール８０のセットも、変形例３に係るシール８と同様にして利用されるため、ここではその説明を省略する。
【符号の説明】
【００７９】
１…電子ペン
２…コンピュータ装置
２４…処理手段
２５…記憶手段
３…プリンタ
４…プロジェクタ
５…スクリーン
６…資料
７、７１、７２…テープ
７ａ、７ａ１〜７ａ５…絵柄
７１ａ…目印
７２ａ、７２ａ１〜７２ａ５…マーク
８、８０、８１〜８４…シール
８ａ、８ａ１〜８ａ５…絵柄
９…記憶媒体
１０…インターネット
１１…サーバ装置
【図３】
0003167906.tif 000003
【図４】
0003167906.tif 000004
【図５】
0003167906.tif 000005
【図６】
0003167906.tif 000006
【図７】
0003167906.tif 000007
【図８】
0003167906.tif 000008
【図１１】
0003167906.tif 000009
【図１２】
0003167906.tif 000010
【図１】
0003167906.tif 000011
【図２】
0003167906.tif 000012
【図９】
0003167906.tif 000013
【図１０】
0003167906.tif 000014
【図１３】
0003167906.tif 000015
【図１４】
0003167906.tif 000016
【図１５】
0003167906.tif 000017
【図１６】
0003167906.tif 000018
【手続補正書】
【提出日】平成23年3月10日(2011.3.10)
【手続補正１】
【補正対象書類名】実用新案登録請求の範囲
【補正対象項目名】全文
【補正方法】変更
【補正の内容】
【実用新案登録請求の範囲】
【請求項１】
表面に、プレゼンテーション用のアプリケーションで使用される複数の機能のそれぞれに対応付けられたユニークなコード化パターンが形成されていると共に、前記複数の機能のそれぞれの内容を示す複数の絵柄が形成されており、裏面に粘着層が形成された印刷媒体であって、
前記複数の機能に対応する前記絵柄及び前記コード化パターンを１つのセットとし、前記セットが繰り返し形成され、
隣接する前記セットの間に、区切れ目であることを示す目印が形成されていることを特徴とする印刷媒体。
【請求項２】
表面に、プレゼンテーション用のアプリケーションで使用される複数の機能のそれぞれに対応付けられたユニークなコード化パターンが形成されていると共に、前記複数の機能のそれぞれの内容を示す複数の絵柄が形成されており、裏面に粘着層が形成された印刷媒体であって、
前記複数の機能に対応する前記絵柄及び前記コード化パターンを１つのセットとし、前記セットが繰り返し形成され、
前記複数の機能のそれぞれに割り当てられたマークが、当該複数の機能のそれぞれに対応する前記絵柄の近傍に形成されていることを特徴とする印刷媒体。
【請求項３】
前記アプリケーションで使用される内容が印刷された資料に貼り付けられて使用されることを特徴とする請求項１または２に記載の印刷媒体。
【請求項４】
前記印刷媒体はテープであることを特徴とする請求項１または２に記載の印刷媒体。
【請求項５】
前記印刷媒体はシールであることを特徴とする請求項１または２に記載の印刷媒体。
【請求項６】
請求項１乃至５のいずれか一項に記載の印刷媒体と、
前記印刷媒体に形成された前記コード化パターンを読取り、当該コード化パターンに関する記入情報を生成する電子ペンと、
前記アプリケーションを実行すると共に、前記電子ペンから前記記入情報を受信して、当該記入情報に応じた処理を行うコンピュータ装置と、前記コンピュータ装置によってデータの読み出しが行われる記憶手段と、を備える情報処理システムであって、
前記記憶手段は、前記複数の機能と、当該複数の機能のそれぞれに割り当てられた前記コード化パターンとの対応付けデータを記憶しており、
前記コンピュータ装置は、
前記記入情報に基づいて、前記対応付けデータを参照して、前記アプリケーションで使用される前記複数の機能の中から、前記電子ペンによって読み取られたコード化パターンに対応する機能を特定する機能特定手段と、
前記機能特定手段が特定した前記機能を実行する機能実行手段と、を備えることを特徴とする情報処理システム。
【請求項７】
前記コンピュータ装置との間で通信を行うサーバ装置を更に備え、
前記サーバ装置は、前記記憶手段を備えており、
前記コンピュータ装置の前記機能特定手段は、前記サーバ装置が記憶する前記対応付けデータを参照して、前記複数の機能の中から、前記電子ペンによって記入された機能を特定することを特徴とする請求項６に記載の情報処理システム。
【請求項８】
前記コンピュータ装置との間で通信を行うサーバ装置を更に備え、
前記サーバ装置は、前記複数の機能と、当該複数の機能のそれぞれに割り当てられた前記コード化パターンとの対応付けデータを記憶する第２の記憶手段を備えており、
前記コンピュータ装置は、
前記複数の機能と、当該複数の機能のそれぞれに割り当てられた前記コード化パターンとの対応付けデータを記憶する第１の記憶手段を更に備え、
前記機能特定手段は、前記第１の記憶手段が記憶する前記対応付けデータを参照して前記機能を特定することができなかった場合に、前記サーバ装置の前記第２の記憶手段が記憶する前記対応付けデータを取得し、取得した前記対応付けデータに基づいて前記機能を特定することを特徴とする請求項６に記載の情報処理システム。
【手続補正３】
【補正対象書類名】明細書
【補正対象項目名】０００１
【補正方法】変更
【補正の内容】
【０００１】
本考案は、ドットパターンが形成された印刷媒体と、この印刷媒体を利用した情報処理システムに関する。
【手続補正４】
【補正対象書類名】明細書
【補正対象項目名】０００３
【補正方法】変更
【補正の内容】
【０００３】
また、特許文献２には、印字テープにＱＲコード（登録商標）と文字を印刷する印字装置が記載されている。更に、特許文献３及び４には、シールにドットパターンを印刷することが記載されている。
【手続補正５】
【補正対象書類名】明細書
【補正対象項目名】０００５
【補正方法】変更
【補正の内容】
【０００５】
従来の技術では、プレゼンテーション用のアプリケーション（以下、適宜「プレゼンアプリ」と表記する。）を実行する場面において、電子ペンを用いて、プレゼンアプリで使用される機能を簡便に実行させることが困難であった。そこで、本考案は、電子ペンを用いて、プレゼンアプリで使用される機能を簡便に実行させることが可能な印刷媒体及び情報処理システムを提案することを主な目的とする。
【手続補正６】
【補正対象書類名】明細書
【補正対象項目名】０００６
【補正方法】変更
【補正の内容】
【０００６】
本考案の１つの観点では、表面に、プレゼンテーション用のアプリケーションで使用される複数の機能のそれぞれに対応付けられたユニークなコード化パターンが形成されていると共に、前記複数の機能のそれぞれの内容を示す複数の絵柄が形成されており、裏面に粘着層が形成された印刷媒体は、前記複数の機能に対応する前記絵柄及び前記コード化パターンを１つのセットとし、前記セットが繰り返し形成され、隣接する前記セットの間に、区切れ目であることを示す目印が形成されている。
【手続補正７】
【補正対象書類名】明細書
【補正対象項目名】０００７
【補正方法】変更
【補正の内容】
【０００７】
つまり、上記の印刷媒体の表面には、プレゼンアプリで使用される各機能ごとに異なるコード化パターン（例えばドットパターン）が形成されている。また、「絵柄」は、プレゼンアプリで使用される機能に対応するアイコンなどに相当する。詳しくは、上記の印刷媒体は、複数の機能に対応する複数の絵柄及びコード化パターンを１つのセットとし、区切れ目であることを示す目印を挟んでセットが繰り返し形成されている。つまり、印刷媒体には、同じ絵柄及び同じコード化パターンを有する複数のセットが、目印を境にして繰り返し形成されている。
【手続補正８】
【補正対象書類名】明細書
【補正対象項目名】０００８
【補正方法】変更
【補正の内容】
【０００８】
ユーザは、上記のような印刷媒体と、印刷媒体に形成されたコード化パターンを読み取って記入情報を生成する電子ペンと、プレゼンアプリを実行すると共に、電子ペンから受信する記入情報に応じた処理を行うコンピュータ装置とを用いて、プレゼンテーションを実施することができる。具体的には、ユーザは、印刷媒体を資料やノートに貼り付け、当該資料等に貼り付けられた印刷媒体のうち使用したい機能に対応する絵柄を電子ペンでタップ（記入の一形態。ペン先による軽叩）することで、プレゼンアプリの所定の機能を実行させる。これにより、ユーザは、使用したいプレゼンアプリの機能が形成された印刷媒体の部分を切り取って資料等に貼り付ける作業を行うだけで、プレゼンテーションの実行中に、電子ペンを用いてプレゼンアプリの機能を簡便に実行させることが可能となる。さらに、ユーザは、印刷媒体に繰り返し形成された機能のセットにおける区切れ目を容易に判別して、まとまった機能の単位１セットで印刷媒体を使用することができる。
【手続補正９】
【補正対象書類名】明細書
【補正対象項目名】０００９
【補正方法】変更
【補正の内容】
【０００９】
本考案の他の観点では、表面に、プレゼンテーション用のアプリケーションで使用される複数の機能のそれぞれに対応付けられたユニークなコード化パターンが形成されていると共に、前記複数の機能のそれぞれの内容を示す複数の絵柄が形成されており、裏面に粘着層が形成された印刷媒体は、前記複数の機能に対応する前記絵柄及び前記コード化パターンを１つのセットとし、前記セットが繰り返し形成され、前記複数の機能のそれぞれに割り当てられたマークが、当該複数の機能のそれぞれに対応する前記絵柄の近傍に形成されている。
【手続補正１０】
【補正対象書類名】明細書
【補正対象項目名】００１０
【補正方法】変更
【補正の内容】
【００１０】
つまり、上記の印刷媒体の表面には、プレゼンアプリで使用される各機能ごとに異なるコード化パターン（例えばドットパターン）と、プレゼンアプリで使用される複数の機能に対応するアイコンなどに相当する複数の「絵柄」とを１つのセットとし、セットが繰り返し形成されている。さらに、印刷媒体上の同じ機能の絵柄近傍に同じ種類のマークが形成されている。ユーザは、上記のような印刷媒体と、印刷媒体に形成されたコード化パターンを読み取って記入情報を生成する電子ペンと、プレゼンアプリを実行すると共に、電子ペンから受信する記入情報に応じた処理を行うコンピュータ装置とを用いることによっても、プレゼンアプリを実施することができる。具体的には、ユーザは、使用したいプレゼンアプリの機能が形成された印刷媒体の部分を切り取って資料やノートに貼り付け、当該資料等に貼り付けられた印刷媒体のうち使用したい機能に対応する絵柄を電子ペンでタップすることで、プレゼンアプリの所定の機能を簡便に実行させることが可能となる。さらに、ユーザは、印刷媒体をどの部分から切り取っても、同じ種類のマークを目安にしてまとまった機能の単位を容易に判別して、まとまった機能の単位１セットで印刷媒体を使用することができる。
【手続補正１１】
【補正対象書類名】明細書
【補正対象項目名】００１１
【補正方法】変更
【補正の内容】
【００１１】
上記の印刷媒体は、好適には、前記アプリケーションで使用される内容が印刷された資料に貼り付けられて使用される。
【手続補正１２】
【補正対象書類名】明細書
【補正対象項目名】００１２
【補正方法】変更
【補正の内容】
【００１２】
上記の印刷媒体の一態様では、前記印刷媒体はテープである。これによりユーザは、テープをテープホルダー（テープカッター）等にセットして、使用したい部分のテープを簡単に切り取ることができる。また、上記の印刷媒体の他の一態様では、前記印刷媒体はシールである。これによりユーザは、使用したい部分のシールを、切り取って直ぐに資料等に貼り付けなくても持ち歩くことができる。
【手続補正１３】
【補正対象書類名】明細書
【補正対象項目名】００１３
【補正方法】変更
【補正の内容】
【００１３】
本考案の他の観点では、上記印刷媒体と、前記印刷媒体に形成された前記コード化パターンを読取り、当該コード化パターンに関する記入情報を生成する電子ペンと、前記アプリケーションを実行すると共に、前記電子ペンから前記記入情報を受信して、当該記入情報に応じた処理を行うコンピュータ装置と、前記コンピュータ装置によってデータの読み出しが行われる記憶手段と、を備える情報処理システムにおいて、前記記憶手段は、前記複数の機能と、当該複数の機能のそれぞれに割り当てられた前記コード化パターンとの対応付けデータを記憶しており、前記コンピュータ装置は、前記記入情報に基づいて、前記対応付けデータを参照して、前記アプリケーションで使用される前記複数の機能の中から、前記電子ペンによって読み取られたコード化パターンに対応する機能を特定する機能特定手段と、前記機能特定手段が特定した前記機能を実行する機能実行手段と、を備える。
【手続補正１４】
【補正対象書類名】明細書
【補正対象項目名】００１４
【補正方法】変更
【補正の内容】
【００１４】
上記の情報処理システムによれば、ユーザは、使用したいプレゼンアプリの機能が形成された印刷媒体の部分を切り取って資料に貼り付ける作業を行うだけで、プレゼンテーションの実行中に、電子ペンを用いてプレゼンアプリの機能を簡便に実行させることが可能となる。
【手続補正１５】
【補正対象書類名】明細書
【補正対象項目名】００１７
【補正方法】変更
【補正の内容】
【００１７】
本考案によれば、ユーザは、使用したいプレゼンアプリの機能が形成された印刷媒体の部分を資料に貼り付ける作業を行うだけで、プレゼンテーションの実行中に、電子ペンを用いてプレゼンアプリの機能を簡便に実行させることが可能となる。
【手続補正１６】
【補正対象書類名】明細書
【補正対象項目名】００２１
【補正方法】変更
【補正の内容】
【００２１】
［情報処理システムの構成］
図１は、第１実施形態に係る情報処理システムの構成を示す。図１に示すように、第１実施形態に係る情報処理システムは、ユーザが使用する電子ペン１と、電子ペン１から記入情報等を受信して処理するコンピュータ装置２と、コンピュータ装置２からの印刷指示（出力命令）に従って資料６を印刷するプリンタ３と、コンピュータ装置２のディスプレイに表示する画像と同様の画像をスクリーン５に映し出すプロジェクタ４と、テープ７（印刷媒体）と、を有する。
【手続補正１７】
【補正対象書類名】明細書
【補正対象項目名】００７３
【補正方法】変更
【補正の内容】
【００７３】
［変形例３］
上記した第１及び第２実施形態並びに変形例１、２は、本考案の印刷媒体をテープに適用したものであった。これに対して、変形例３では、本考案をシールに適用する。
【手続補正１８】
【補正対象書類名】明細書
【補正対象項目名】００７４
【補正方法】変更
【補正の内容】
【００７４】
図１５は、変形例３に係るシール８（印刷媒体）の構成を示す。シール８は、裏面に粘着剤が形成された紙（シール台紙）として構成されている。剥離紙から剥がしてそのまま貼るタイプのシールが好適であるが、水で濡らしてから貼るタイプのシールでも良い。図１５に示すように、シール８は、表面に、プレゼンアプリで使用される複数の機能のそれぞれの内容を示す複数の絵柄８ａ１〜８ａ５（８ａ）が形成されていると共に、当該複数の機能のそれぞれに対応付けられたユニークなドットパターンが形成されている。絵柄８ａは、赤外域に吸収性を持たないインキによってシール８に印刷されている。詳しくは、シール８には、複数の絵柄８ａ１〜８ａ５及びそれらに対応するドットパターンを１つのセットとし、当該セットが繰り返し形成されている（符号８ｂ参照）。つまり、シール８には、同じ絵柄８ａ及び同じドットパターンを有する複数のセットが、図１５における縦方向に繰り返し形成されている。そして、シール８には、使用する部分の絵柄８ａを剥離紙から剥がし易いようにハーフカットが施されている。絵柄８ａの形状に合わせてハーフカットされていても良い。また、水で濡らしてから貼るタイプのシールの場合は、ミシン目状のハーフカットとすると良い。